(57)【要約】【課題】自宅で携帯電話端末を身に付けておらず、かつ携帯電話端末がマナーモードに設定されている場合においても、ユーザに着信を知らせることができる基地局を提供する。【解決手段】フェムトセル圏内で待ちうけ状態にある携帯電話端末３００に対し着信があった場合、所定時間以上が経過したにもかかわらず携帯電話端末３００がオンフック状態にある場合には、発信元の携帯電話端末９００に対し、フェムトセル１００で着信音を鳴らすか、留守番電話サービスに接続するかを選択することを促すメッセージを流す。フェムトセル１００での着信音鳴動が選択された場合には、フェムトセル１００のスピーカから着信音を鳴らす。フェムトセル１００で着信音を鳴らしてからさらに所定時間以上が経過するか、または所定回数以上の着信音があったにもかかわらず携帯電話端末３００がオンフック状態にある場合には、携帯電話端末９００を留守番電話サービスに接続する。【選択図】図２
2012074869.tif 000002
【特許請求の範囲】
【請求項１】
ブロードバンド回線を介して移動通信網に接続される移動局用の基地局であって、
呼出音により着信を報知する報知部と、
前記ブロードバンド回線を介して移動局への着信を検出すると、前記移動局に対して当該着信を通知する通知部と、
当該着信に対して前記移動局が応答しない場合は、前記報知部を使用して当該着信を報知するように前記報知部を制御する制御部と、
を備えることを特徴とする基地局。
【請求項２】
前記制御部は、発信元の指示に基づいて前記報知部を使用して前記着信を報知することを特徴とする請求項１に記載の基地局。
【請求項３】
移動通信網上のノードであって、
ブロードバンド回線を介して前記移動通信網に接続された基地局に収容された移動局が着信に対して応答しない場合は、前記基地局が備える、呼出音により着信を報知する報知部を使用して前記着信を報知するように前記基地局に指示を与えることを特徴とするノード。
【発明の詳細な説明】
【技術分野】
【０００１】
本発明は、着信音鳴動の機能を有する小型の基地局と、その基地局に指示を与えるノードに関する。
【背景技術】
【０００２】
携帯電話端末には、着信時に着信音を鳴動させないマナーモードの機能がある。電車の中など、公共の場所において着信音を鳴動させることができない状況下では、携帯電話端末をマナーモードに設定するのが一般的である。
しかし、携帯電話端末をマナーモードに設定した場合、外出先から帰宅したときにマナーモードを解除し忘れたまま棚などの離れた場所に置いてしまい、電話がかかってきたことに気付かないことがある。そのため、このような問題に対する対策として、充電台に携帯電話端末を置いたときにマナーモードの解除を促したり（特許文献１参照）、携帯電話端末が備えるバイブレータによる振動や、携帯電話端末が備える着信ランプ（ＬＥＤ）の点滅で着信を知らせる等の方法が知られている。
【先行技術文献】
【特許文献】
【０００３】
【特許文献１】特開２００６−２４５８８５号公報
【発明の概要】
【発明が解決しようとする課題】
【０００４】
しかしながら、携帯電話端末のバッテリ残量がまだ十分にある状態においては、自宅にいても充電を行わない場合が多く、また、ユーザが携帯電話端末を上着のポケットに入れたままになっていたり、離れた場所に置いたままになっていたりすると、バイブレータの振動や着信ランプ（ＬＥＤ）の点滅に気付かず、電話がかかってきたことを知ることができないという問題がある。
【０００５】
本発明は、このような問題点に鑑みてなされたものであり、本発明の目的は、自宅で携帯電話端末を身に付けておらず、かつ携帯電話端末がマナーモードに設定されたままになっている場合においても、電話がかかってきたことを携帯電話端末のユーザに知らせることができる基地局と、その基地局に指示を与えるノードを提供することにある。
【課題を解決するための手段】
【０００６】
上記目的を達成するため、本発明は、ブロードバンド回線を介して移動通信網に接続される移動局用の基地局であって、呼出音により着信を報知する報知部と、前記ブロードバンド回線を介して移動局への着信を検出すると、前記移動局に対して当該着信を通知する通知部と、当該着信に対して前記移動局が応答しない場合は、前記報知部を使用して当該着信を報知するように前記報知部を制御する制御部とを備えることを特徴とする。
前記制御部は、発信元の指示に基づいて前記報知部を使用して前記着信を報知することが好ましい。
【０００７】
また、本発明は、移動通信網上のノードであって、ブロードバンド回線を介して前記移動通信網に接続された基地局に収容された移動局が着信に対して応答しない場合は、前記基地局が備える、呼出音により着信を報知する報知部を使用して前記着信を報知するように前記基地局に指示を与えることを特徴とする。
【発明の効果】
【０００８】
本発明は、フェムトセルで着信音が鳴動することにより、自宅で携帯電話端末を身に付けておらず、かつ携帯電話端末がマナーモードに設定されたままになっている場合においても電話がかかってきたことを携帯電話端末のユーザに確実に知らせることができる。
【図面の簡単な説明】
【０００９】
【図１】本発明のフェムトセルの内部構成を示すブロック図である。
【図２】本発明のフェムトセルを含む第１実施形態に係る移動体通信システムの全体構成を示す図である。
【図３】第１実施形態に係る移動体通信システムにおけるフェムトセルの動作を説明するフローチャートである。
【図４】着信時におけるフェムトセルと交換局と携帯電話端末と間の信号授受手順を説明する図である。
【図５】本発明のフェムトセルを含む第２実施形態に係る移動体通信システムの全体構成を示す図である。
【図６】第２実施形態に係る移動体通信システムにおける交換局の動作を説明するフローチャートである。
【発明を実施するための形態】
【００１０】
本発明の実施の形態について図面を参照して説明する。最初に、本発明が適用されるフェムトセルについて説明する。フェムトセル（例えばHome eNode Bなど)とは、一般家庭内や小さなオフィスに設置される契約者専用の超小型の基地局であり、安価な点や、ブロードバンド回線を介して携帯電話事業者のコアネットワーク（移動通信網）に接続される移動局用の基地局として、大きな普及が見込まれる新しいタイプの基地局である。
【００１１】
このフェムトセルの利用により、これまで自宅がマクロセルのエリア外だった利用者も、ブロードバンド回線があれば安価で容易に携帯電話サービスを利用できるようになり、また、限定された利用者で小型基地局を占有することができることから、快適なデータ通信環境を提供できるなど、新しいサービスを利用者に提供することが可能となっている。また、携帯電話事業者にとっては、安価に携帯電話端末のエリア改善ができるとともに、マクロセルのトラフィックをフェムトセルに逃がすことにより既存基地局の収容能力の増大が見込めるなどのメリットがあり、今後、屋外のマクロセルと屋内のフェムトセルの組合せが必須になっていくものと考えられる。
【００１２】
図１は、本発明の基地局（フェムトセル）の内部構成を示すブロック図である。図１に示すように、フェムトセル１００は、アンテナ１１と、アンテナ１１を接続する共用器１２と、アンテナ１１で受信した信号（以下、上り信号という）が共用器１２を介して入力される無線受信部１３ａと、共用器１２およびアンテナ１１を介して信号（以下、下り信号という）を送信する無線送信部１３ｂと、無線受信部１３ａから入力される上り信号および無線送信部１３ｂから送信する下り信号の処理を行うベースバンド処理部１４と、基地局識別情報を記憶する基地局識別情報記憶部１５と、商用ブロードバンド回線との接続インターフェースであるＬＡＮ接続部１６と、着信音データを記憶する着信音データ記憶部１７と、着信音データ記憶部１７から読み出された着信音データを再生する着信音発生回路１８と、着信音発生回路１８で再生された着信音（呼出音）により着信を報知するスピーカ１９（報知部）と、ベースバンド処理部１４，基地局識別情報記憶部１５，ＬＡＮ接続部１６，着信音データ記憶部１７および着信音発生回路１８の制御を行う制御部２００とを備えている。
制御部２０は、商用ブロードバンド回線を介して移動局への着信を検出すると、当該移動局に対して着信を通知し、着信に対して移動局が応答しない場合は、スピーカ１９を使用して当該着信を報知するように制御を行う。また、制御部２０は、発信元の指示に基づいてスピーカ１９を使用して当該着信を報知するように制御を行う。
【００１３】
図２は、本発明の基地局（フェムトセル）を含む第１実施形態に係る移動体通信システムの全体構成を示す図である。第１実施形態に係る移動体通信システムは、図２に示すように、一般家庭の家屋内に設置される基地局であるフェムトセル１００と、一般家庭の家屋内においてフェムトセル１００に無線接続される移動局である携帯電話端末３００と、商用ブロードバンド回線４００を介してフェムトセル１００に接続されるゲートウェイ５００と、ゲートウェイ５００に接続される移動通信コアネットワーク（セルラー網）６００の交換局２００と、交換局２００に接続される留守番電話機能サーバ７００および既存基地局（マクロセル）８００と、既存基地局８００に無線接続される携帯電話端末９００から成る。
【００１４】
図３は、第１実施形態に係る移動体通信システムにおける基地局（フェムトセル）の動作を説明するフローチャートである。
フェムトセル１００は、フェムトセル１００の圏内で待ちうけ状態にある携帯電話端末３００に携帯電話端末９００からの着信があると、着信信号を携帯電話端末３００に送出し、携帯電話端末３００から着信応答信号を受信すると（Ｓ１０１）、着信応答信号を交換局２００に送信する（Ｓ１０２）。交換局２００は、着信応答信号を受信すると、発信元の携帯電話端末９００に対し呼び出し音を返す。図４は、着信時におけるフェムトセル１００と交換局２００と携帯電話端末３００と間の信号授受手順を説明する図である。
【００１５】
フェムトセル１００は、通信チャネルに移行した時点からの経過時間を検出し（Ｓ１０３）、所定時間が経過したに場合（Ｓ１０４でＹＥＳの場合）であって、着信先の携帯電話端末３００がオンフック状態にある場合（Ｓ１０５でＹＥＳの場合）には、交換局２００に対し、フェムトセル１００で着信音を鳴動させるか、または留守番電話サービスに接続するかを特定のボタン操作により選択するよう促すメッセージを発信元の携帯電話端末９００へ流すように指示する（Ｓ１０６）。
【００１６】
フェムトセル１００は、発信者による特定のボタン操作の結果を交換局２００から受信し（Ｓ１０７）、発信者によりフェムトセル１００での着信音の鳴動が選択された場合には（Ｓ１０８でＹＥＳの場合）、着信音データ記憶部１７から着信音データを読み出し、読み出された着信音データを着信音発生回路１８に出力し、着信音発生回路１８で再生された着信音（呼出音）をスピーカ１９から出力する（Ｓ１０９）。
【００１７】
発信者により留守番電話サービスに接続することが選択された場合には、フェムトセル１００は、交換局２００に対し、発信元の携帯電話端末９００を留守番電話機能サーバ７００に接続することを指示する（Ｓ１１４）。交換局２００は、発信元の携帯電話端末９００に対し留守番電話サービスに接続する旨のメッセージを流し、発信元の携帯電話端末９００を留守番電話機能サーバ７００に接続する。
【００１８】
フェムトセル１００は、着信音鳴動回数もしくは着信音鳴動からの時間を検出し（Ｓ１１０）、所定回数以上の着信音鳴動があったか、または、着信音鳴動から所定時間が経過した場合（Ｓ１１１でＹＥＳの場合）であって、着信先の携帯電話端末３００がオンフック状態にある場合（Ｓ１１２でＹＥＳの場合）には、交換局２００に対し、発信元の携帯電話端末９００を留守番電話機能サーバ７００に接続することを指示する（Ｓ１１３）。交換局２００は、発信元の携帯電話端末９００に対し留守番電話サービスに接続する旨のメッセージを流し、発信元の携帯電話端末９００を留守番電話機能サーバ７００に接続する。
【００１９】
図５は、本発明の基地局（フェムトセル）を含む第２実施形態に係る移動体通信システムの全体構成を示す図である。第２実施形態に係る移動体通信システムは、図５に示すように、一般家庭の家屋内に設置される基地局であるフェムトセル１００と、一般家庭の家屋内においてフェムトセル１００に無線接続される移動局である携帯電話端末３００と、商用ブロードバンド回線４００を介してフェムトセル１００に接続されるゲートウェイ５００と、ゲートウェイ５００に接続される移動通信コアネットワーク（セルラー網）６００の交換局２００（移動通信網上のノード）と、交換局２００に接続される留守番電話機能サーバ７００，既存基地局８００，フェムトセル管理サーバ１０００と、既存基地局８００に無線接続される携帯電話端末９００から成る。
【００２０】
フェムトセル管理サーバ１０００は、フェムトセル１００の基地局識別情報を記録保存しており、交換局２００は、基地局識別情報からその基地局がフェムトセルかまたはマクロセルなのかを判定することができる。フェムトセル１００が基地局識別情報を付加して着信応答信号を交換局２００へ送信することにより、交換局２００は、携帯電話端末への着信がフェムトセル１００経由で行われていることを検出することができる。
交換局２００は、フェムトセル１００に収容された携帯電話端末が、着信に対して応答しない場合は、フェムトセル１００が備えるスピーカ１９を使用して当該着信を報知するようにフェムトセル１００に指示を与える。
【００２１】
図６は、第２実施形態に係る移動体通信システムにおける交換局の動作を説明するフローチャートである。
フェムトセル１００は、フェムトセル１００の圏内で待ちうけ状態にある携帯電話端末３００に携帯電話端末９００からの着信があると、着信信号を携帯電話端末３００に送出し、携帯電話端末３００から着信応答信号を受信すると、基地局識別情報を付加して着信応答信号を交換局２００に送信する。交換局２００は、着信応答信号を受信すると（Ｓ２０１）、基地局識別情報からフェムトセル１００経由で着信が行われていることを検出し、発信元の携帯電話端末９００に対し呼び出し音を返す（Ｓ２０２）。
【００２２】
交換局２００は、呼び出し音発生回数または呼び出し音開始からの経過時間を検出し（Ｓ２０３）、所定回数の呼び出し音があったか、または呼び出し音開始から所定時間が経過した場合（Ｓ２０４でＹＥＳの場合）であって、着信先の携帯電話端末３００がオンフック状態にある場合（Ｓ２０５でＹＥＳの場合）には、発信元の携帯電話端末９００に対し、フェムトセルで着信音を鳴動させるか、または留守番電話サービスに接続するかを特定のボタン操作により選択するよう促すメッセージを流す（Ｓ２０６）。
【００２３】
交換局２００は、発信者による特定のボタン操作の結果を発信元の携帯電話端末９００から受信し（Ｓ２０７）、発信者によりフェムトセル１００での着信音の鳴動が選択された場合には（Ｓ２０８でＹＥＳの場合）、フェムトセル１００に対し着信音鳴動を指示する（Ｓ２０９）。発信者により留守番電話サービスに接続することが選択された場合には、交換局２００は、発信元の携帯電話端末９００に対し留守番電話サービスに接続する旨のメッセージを流し、発信元の携帯電話端末９００を留守番電話機能サーバ７００に接続する（Ｓ２１４）。
【００２４】
交換局２００から着信音鳴動を指示されたフェムトセル１００は、着信音データ記憶部１７から着信音データを読み出し、読み出された着信音データを着信音発生回路１８に出力し、着信音発生回路１８で再生された着信音（呼出音）をスピーカ１９から出力する。
【００２５】
フェムトセル１００に着信音鳴動を指示した交換局２００は、再度、呼び出し音発生回数または呼び出し音開始からの経過時間を検出し（Ｓ２１０）、所定回数の呼び出し音があったか、または呼び出し音開始から所定時間が経過した場合（Ｓ２１１でＹＥＳの場合）であって、着信先の携帯電話端末３００がオンフック状態にある場合（Ｓ２１２でＹＥＳの場合）には、発信元の携帯電話端末９００に対し留守番電話サービスに接続する旨のメッセージを流し、発信元の携帯電話端末９００を留守番電話機能サーバ７００に接続する（Ｓ２１３）。
【００２６】
上述したように、本発明は、フェムトセルで着信音が鳴動することにより、自宅で携帯電話端末を身に付けておらず、かつ携帯電話端末がマナーモードに設定されたままになっている場合においても電話がかかってきたことを携帯電話端末のユーザに確実に知らせることができる。
また、本発明は、発信者に対してフェムトセルでの着信音鳴動が選択できるメッセージを流すようにしているので、発信者は、着信先の携帯電話端末がフェムトセルの圏内にあること（着信先の相手がフェムトセルの圏内にいること）を知ることができる。
また、本発明は、発信者に対してフェムトセルでの着信音鳴動と留守番電話サービスへの接続とを選択できるようにしているので、発信者は、用件の緊急度、および発信者の時間的都合に応じて、フェムトセルで着信音を鳴らすか、留守番電話サービスにメッセージを残すかを選択することができる。
【符号の説明】
【００２７】
１１  アンテナ
１２  共用器
１３ａ  無線受信部
１３ｂ  無線送信部
１４  ベースバンド処理部
１５  基地局識別情報記憶部
１６  ＬＡＮ接続部
１７  着信音データ記憶部
１８  着信音発生回路
１９  スピーカ
２０  制御部
１００  フェムトセル
２００  交換局
３００，９００  携帯電話端末
４００  商用ブロードバンド回線
５００  ゲートウェイ
６００  移動通信コアネットワーク
７００  留守番電話機能サーバ
８００  既存基地局
１０００  フェムトセル管理サーバ
【図１】
2012074869.tif 000003
【図２】
2012074869.tif 000004
【図３】
2012074869.tif 000005
【図４】
2012074869.tif 000006
【図５】
2012074869.tif 000007
【図６】
2012074869.tif 000008